(57)【要約】【課題】液晶パネルに表示すべき映像信号が無信号の場合に、消費電力の増大をほとんど発生させることなく視聴者に好印象を与える画面表示を行う。【解決手段】液晶表示装置１００の補助映像信号発生器１０１は、液晶パネル１６に表示すべき映像信号が無信号の場合に、黒表示が多くかつ動きのある映像信号（補助映像信号とする）を生成して液晶パネル１６に表示させる。このときにＬＣＤ制御部１０３は、光源駆動部１０７では、補助映像信号に基づくバックライト制御信号に従って、ＬＥＤバックライト１１０における発光ＬＥＤを制御する。この場合、補助映像信号の黒表示領域を除く領域に追従して、その領域の直下のＬＥＤのみを発光させるようにする。これにより、点灯するＬＥＤの数を少なくして消費電力の増大を抑制し、かつ補助映像により視聴者に好印象を与える画面表示を行うことができる。【選択図】図２
2007086390.tif 000002
【特許請求の範囲】
【請求項１】
ＬＥＤから発光された光により液晶パネルを背面から照明するようにしたＬＥＤバックライト装置において、該ＬＥＤバックライト装置は、複数のＬＥＤが配置されたＬＥＤ光源部と、前記液晶パネルに表示すべき映像信号に基づいて前記ＬＥＤ光源部のＬＥＤの発光を制御する光源駆動部とを有し、
該光源駆動部は、前記映像信号の黒表示を除く領域を照明するＬＥＤを発光し、該黒表示の領域を照明するＬＥＤを消灯する制御を行うことを特徴とするＬＥＤバックライト装置。
【請求項２】
ＬＥＤから発光された光により液晶パネルを背面から照明するようにしたＬＥＤバックライト装置において、該ＬＥＤバックライト装置は、複数のＬＥＤが配置されたＬＥＤ光源部と、前記液晶パネルに表示すべき映像信号に基づいて前記ＬＥＤの発光を制御する光源駆動部とを有し、
前記ＬＥＤ光源部は、複数のＬＥＤをユニット化して該ユニット毎に発光制御が行われるように構成され、前記光源駆動部は、前記映像信号の黒表示を除く領域を照明するＬＥＤのユニットを発光し、該黒表示の領域を照明するＬＥＤのユニットを消灯する制御を行うことを特徴とするＬＥＤバックライト装置。
【請求項３】
液晶パネルと、該液晶パネルを背面から照明するＬＥＤバックライト装置とを備え、該ＬＥＤバックライト装置から発光された光を前記液晶パネルによって変調して画像表示を行うようにした液晶表示装置において、
該液晶表示装置は、前記液晶パネルに表示すべき映像信号が無信号の状態のとき、前記液晶パネルに補助用の画面を表示するための補助映像信号を発生する補助映像信号発生部と、該補助映像信号発生部が発生した補助映像信号を前記液晶パネルに表示させる制御を行うＬＣＤ制御部とを有し、
前記ＬＥＤバックライト装置は、複数のＬＥＤが配置されたＬＥＤ光源部と、前記液晶パネルに表示すべき映像信号に基づいて前記ＬＥＤ光源部のＬＥＤの発光を制御する光源駆動部とを有し、
該光源駆動部は、前記補助映像信号の黒表示を除く領域を照明するＬＥＤを発光し、該黒表示の領域を照明するＬＥＤを消灯する制御を行うことを特徴とするＬＥＤバックライト装置。
【請求項４】
液晶パネルと、該液晶パネルを背面から照明するＬＥＤバックライト装置とを備え、該ＬＥＤバックライトから発光された光を前記液晶パネルによって変調して画像表示を行うようにした液晶表示装置において、
該液晶表示装置は、前記液晶パネルに表示すべき映像信号が無信号の状態のとき、前記液晶パネルに補助用の画面を表示するための補助映像信号を発生する補助映像信号発生部と、該補助映像信号発生部が発生した補助映像信号を前記液晶パネルに表示させる制御を行うＬＣＤ制御部とを有し、
前記ＬＥＤバックライト装置は、複数のＬＥＤが配置されたＬＥＤ光源部と、前記液晶パネルに表示すべき映像信号に基づいて前記ＬＥＤ光源部のＬＥＤの発光を制御する光源駆動部とを有し、
前記ＬＥＤ光源部は、複数のＬＥＤをユニット化して該ユニット毎に発光制御が行われるように構成され、前記光源駆動部は、前記補助映像信号の黒表示を除く領域を照明するＬＥＤのユニットを発光し、該黒表示の領域を照明するＬＥＤのユニットを消灯する制御を行うことを特徴とする液晶表示装置。
【請求項５】
請求項４に記載の液晶表示装置において、前記液晶パネルに表示すべき映像信号が無信号の状態は、該液晶表示装置に予め設定されているスタンバイモードに移行したとき、あるいは前記液晶表示装置が備える音声出力手段のみを利用して視聴が行われているとき、のいずれかまたは両方を含むことを特徴とする液晶表示装置。
【請求項６】
請求項４または５に記載の液晶表示装置において、前記補助映像信号生成部は、画面内に黒表示領域を含み、動きのある映像を前記補助映像信号として生成することを特徴とする液晶表示装置。
【請求項７】
請求項４ないし６のいずれか１に記載の液晶表示装置において、前記光源駆動部は、前記ＬＥＤ光源部のＬＥＤの発光輝度を調光する調光手段を有し、前記補助映像信号が表示されるときには、通常の映像信号を表示するときよりもＬＥＤの発光輝度を低下させることを特徴とする液晶表示装置。
【発明の詳細な説明】
【技術分野】
【０００１】
本発明は、ＬＥＤバックライト装置及び液晶表示装置に関し、より具体的には、液晶パネル等の光変調素子を照明する素子としてＬＥＤを使用したＬＥＤバックライト装置と、そのＬＥＤバックライト装置を使用して画像表示を行う液晶表示装置に関する。
【背景技術】
【０００２】
液晶パネルなどの光変調素子を背面から照明するバックライトとして、ＬＥＤバックライトが注目されている。ＬＥＤバックライトには、白色ＬＥＤを配列して白色光の照明光を発光する構成のものや、Ｒ（赤），Ｇ（緑），Ｂ（青）の３色のＬＥＤを配列し、これらの３色の光を混色して白色光とする構成のものがある。また上記白色ＬＥＤには、短波長ＬＥＤに蛍光体を組み合わせて白色を得る方式のものや、青色ＬＥＤに蛍光体を組み合わせて白色を得る方式、あるいは青色ＬＥＤに黄色の蛍光体を組み合わせて白色を得る方式のもの等がある。
【０００３】
このような、ＬＥＤを利用したバックライトは、従来一般的な冷陰極管（ＣＣＦＬ）等の蛍光管を利用したバックライトに比較して、いくつかの特徴的な利点が得られている。
例えば、従来バックライトとして使用されていた蛍光管は、点灯するときに高い電圧を必要とし、また蛍光管の点灯・消灯を煩雑に繰り返すとその寿命が短くなる、という課題を有していた。また蛍光管は、通常ガラス材によって形成されているため、バックライト光源として形状の自由度に制限がある、という課題もあった。
【０００４】
これに対して、ＬＥＤを使用したバックライトは、蛍光管に比して低電圧で駆動することができ、また消費電力が少なく、寿命が長い等の優位な性能を備えている。
また３色のＬＥＤを使用したバックライトでは、光の３原色に近い波長から白色光を得るため、従来の冷陰極管に比べて色の自由度が高まるという特徴がある。特に色再現性を大幅に拡大することが可能で、ＮＴＳＣ規格比で１００％を超える色再現性を実現したり、白色点（白の色味）を自由に調整したりすることができるようになる。
【０００５】
ＬＥＤバックライトには、例えば、液晶パネルの背面側に導光板を配置し、その導光板の端部に複数のＬＥＤをアレイ状に配列した導光板方式のものがある。この場合、ＬＥＤアレイから発光した照明光は、導光板を介して液晶パネルを照明する。また導光板と液晶パネルとの間には、照明光に配光特性や輝度分散特性を与えるために、拡散板やプリズムシート等の光学シート類が適宜配設される。
【０００６】
上記のような導光板方式に対して、液晶パネルの背面側の直下にＬＥＤを配列する直下型のＬＥＤバックライトが提供されている。直下型のＬＥＤバックライトにおいても、ＬＥＤと液晶パネルの間には上記のような光学シート類が適宜配設される。
【０００７】
上記のような直下型のＬＥＤバックライトは、導光板方式に比して光利用効率が高く、また軽量化が可能であるなどの長所がある。光利用効率に関し、導光板方式のＬＥＤバックライトでは、その光利用効率は例えば約５０％程度であるのに対して、直下型のＬＥＤバックライトでは、光利用効率は例えば約７５％と高くなる。
一般に液晶パネルを用いた表示装置では高レベルの画面輝度が求められる。例えば、液晶テレビジョン装置では、画面の輝度レベルは少なくとも４５０ｃｄ／ｍ2が要求され、このような要求を満足するためには、基本的には光利用効率の高い直下型方式のＬＥＤバックライトが有利であるものといえる。
【０００８】
上記のようなＬＥＤバックライトの構成に関し、例えば、特許文献１では、表示しようとする画像に応じて、バックライトを構成するＬＥＤを選択的に駆動制御して、少なくとも照明光が必要とされる画素領域にのみ部分的に照明光を照射するようにした映像表示装置が開示されている。ここでは、液晶パネルに照射する照明光を発する光源となるＬＥＤを、複数の分割領域に対して少なくとも１つずつ配置する。そしてＬＥＤを制御するＬＥＤ制御回路は、映像信号に応じて、少なくとも照明光が必要とされる画面領域にのみ照明光が照射されるようにＬＥＤの発光を制御し、バックライトパネルにおけるＬＥＤを分割領域単位で駆動する。このような構成により、照明する必要のない画面領域に対しては基本的にバックライトによる照明光を照射せず、照明に必要とされる消費電力を低減させることができる。
【特許文献１】特開２００１−１４２４０９号公報
【発明の開示】
【発明が解決しようとする課題】
【０００９】
液晶パネルを使用した液晶表示装置において、例えば、映像信号が無信号である場合、通常は真っ暗な画面となる。このような映像信号が無信号の場合は、液晶表示装置がスタンバイモードに入って映像表示を行わないような場合や、液晶表示装置が備えるオーディオスピーカを使用して映像のないオーディオソースが視聴されるような場合も含まれる。
【００１０】
このような場合、画面表示が真っ暗なままであると、視聴者にとっては画面自体には何ら面白みが感じられず、娯楽性が伴わないため、視聴者が退屈する場合もある。あるいは表示のない真っ暗な画面では、装飾性がないため、何ら表示のない画面が存在することにより視聴者に対して陰気な感じを与えることがある。
【００１１】
例えば、ＰＣ（パソコン）にはスクリーンセイバー機能が付与され、暗い画面の中に所定の画面表示が行われる。スクリーンセイバーは、本来ＣＲＴの焼き付き防止のために使用されていたが、液晶パネルを用いた表示画面においてもその装飾効果等から広く使用されている。しかしながら、スクリーンセイバーの表示中は、バックライトは画面全面を照明しているため、消費電力の低減効果を発揮できない。
【００１２】
また上記特許文献１の映像表示装置では、表示映像として一般的な映像信号を想定し、その映像信号のうち照明光が必要とされない画素領域、すなわち黒表示の画素領域ではＬＥＤを点灯させないようにして低消費電力化を図っている。
しかしながら、特許文献１では、上記のような無映像信号時における装飾性や娯楽性を鑑みた表示は開示されてなく、従ってこのような表示においてバックライトの発光制御を行うことによる消費電力増大の抑制効果については何ら述べられていない。
【００１３】
本発明は、上述のごとき実情に鑑みてなされたものであって、ＬＥＤから発光された光により液晶パネルを背面から照明するようにしたＬＥＤバックライトにおいて、液晶パネルに表示すべき映像信号が無信号の場合に、専用の補助映像を表示させ、その補助映像の表示部分に合わせてバックライトを部分的に発光制御することにより、消費電力の増大をほとんど発生させることなく視聴者に好印象を与える画面表示を可能とするＬＥＤバックライト装置と、該ＬＥＤバックライト装置を有する液晶表示装置を提供することを目的とする。
【課題を解決するための手段】
【００１４】
上記課題を解決するために、第１の技術手段は、ＬＥＤから発光された光により液晶パネルを背面から照明するようにしたＬＥＤバックライト装置において、ＬＥＤバックライト装置は、複数のＬＥＤが配置されたＬＥＤ光源部と、液晶パネルに表示すべき映像信号に基づいてＬＥＤ光源部のＬＥＤの発光を制御する光源駆動部とを有し、光源駆動部は、映像信号の黒表示を除く領域を照明するＬＥＤを発光し、黒表示の領域を照明するＬＥＤを消灯する制御を行うことを特徴としたものである。
【００１５】
第２の技術手段は、ＬＥＤから発光された光により液晶パネルを背面から照明するようにしたＬＥＤバックライト装置において、ＬＥＤバックライト装置は、複数のＬＥＤが配置されたＬＥＤ光源部と、液晶パネルに表示すべき映像信号に基づいてＬＥＤの発光を制御する光源駆動部とを有し、ＬＥＤ光源部は、複数のＬＥＤをユニット化してユニット毎に発光制御が行われるように構成され、光源駆動部は、映像信号の黒表示を除く領域を照明するＬＥＤのユニットを発光し、黒表示の領域を照明するＬＥＤのユニットを消灯する制御を行うことを特徴としたものである。
【００１６】
第３の技術手段は、液晶パネルと、液晶パネルを背面から照明するＬＥＤバックライト装置とを備え、ＬＥＤバックライト装置から発光された光を液晶パネルによって変調して画像表示を行うようにした液晶表示装置において、液晶表示装置は、液晶パネルに表示すべき映像信号が無信号の状態のとき、液晶パネルに補助用の画面を表示するための補助映像信号を発生する補助映像信号発生部と、補助映像信号発生部が発生した補助映像信号を液晶パネルに表示させる制御を行うＬＣＤ制御部とを有し、ＬＥＤバックライト装置は、複数のＬＥＤが配置されたＬＥＤ光源部と、液晶パネルに表示すべき映像信号に基づいてＬＥＤ光源部のＬＥＤの発光を制御する光源駆動部とを有し、光源駆動部は、補助映像信号の黒表示を除く領域を照明するＬＥＤを発光し、黒表示の領域を照明するＬＥＤを消灯する制御を行うことを特徴としたものである。
【００１７】
第４の技術手段は、液晶パネルと、液晶パネルを背面から照明するＬＥＤバックライト装置とを備え、ＬＥＤバックライトから発光された光を液晶パネルによって変調して画像表示を行うようにした液晶表示装置において、液晶表示装置は、液晶パネルに表示すべき映像信号が無信号の状態のとき、液晶パネルに補助用の画面を表示するための補助映像信号を発生する補助映像信号発生部と、補助映像信号発生部が発生した補助映像信号を液晶パネルに表示させる制御を行うＬＣＤ制御部とを有し、ＬＥＤバックライト装置は、複数のＬＥＤが配置されたＬＥＤ光源部と、液晶パネルに表示すべき映像信号に基づいてＬＥＤ光源部のＬＥＤの発光を制御する光源駆動部とを有し、ＬＥＤ光源部は、複数のＬＥＤをユニット化して該ユニット毎に発光制御が行われるように構成され、光源駆動部は、補助映像信号の黒表示を除く領域を照明するＬＥＤのユニットを発光し、黒表示の領域を照明するＬＥＤのユニットを消灯する制御を行うことを特徴としたものである。
【００１８】
第５の技術手段は、第４の技術手段において、液晶パネルに表示すべき映像信号が無信号の状態は、液晶表示装置に予め設定されているスタンバイモードに移行したとき、あるいは液晶表示装置が備える音声出力手段のみを利用して視聴が行われているとき、のいずれかまたは両方を含むことを特徴としたものである。
【００１９】
第６の技術手段は、第４または第５の技術手段において、補助映像信号生成部が、画面内に黒表示領域を含み、動きのある映像を補助映像信号として生成することを特徴としたものである。
【００２０】
第７の技術手段は、第４ないし第６のいずれか１の技術手段において、光源駆動部が、ＬＥＤ光源部のＬＥＤの発光輝度を調光する調光手段を有し、補助映像信号が表示されるときには、通常の映像信号を表示するときよりもＬＥＤの発光輝度を低下させることを特徴としたものである。
【発明の効果】
【００２１】
本発明によれば、ＬＥＤから発光された光により液晶パネルを背面から照明するようにしたＬＥＤバックライト装置において、液晶パネルに表示すべき映像信号が無信号の場合に、専用の補助映像を表示させ、その補助映像の表示部分に合わせてバックライトを部分的に発光制御することにより、消費電力の増大をほとんど発生させることなく視聴者に好印象を与える画面表示を可能としたＬＥＤバックライト装置と、該ＬＥＤバックライト装置を有する液晶表示装置を提供することができる。
【００２２】
特に、上記補助映像として、黒表示領域が大きくかつ動きのある映像を表示させ、その表示領域（黒表示領域を除く領域）でのみＬＥＤを発光させることによって、特定の映像を表示させているにもかかわらず、映像表示時には全てのバックライトを点灯させる従来の制御と比べて大幅にバックライトの消費電力を低減させることができる。そしてこのときに、特定の補助映像を表示させることにより、映像信号が無信号の状態であっても、装飾性や娯楽性のある映像を画面に表示させることができるという効果が得られる。
【発明を実施するための最良の形態】
【００２３】
図１は、本発明に適用可能な直下型のＬＥＤバックライト装置の構成例を説明するための図で、図中、１０はＬＥＤバックライト装置、１１はＬＥＤ、１２は拡散板、１３は他の光学シート、１４は反射板、１５はＬＥＤバックライト装置の筐体、１６は液晶パネルである。
図１に示す例では、バックライトユニットの筐体１５の底面側に反射板１４が配置され、その上面側に複数のＬＥＤ１１がマトリックス状に配設されている。マトリックス状のＬＥＤ１１は、複数のＬＥＤ１１を基板上にアレイ状に配設したユニットを、さらに複数並べて構成することができる。また、反射板１４に貫通孔を開けて、その貫通孔に個々のＬＥＤ１１を配設するようにしてもよい。あるいは、ＬＥＤ１１を配設する基板表面に印刷等の手法により反射面を形成し、ＬＥＤ基板に反射板１４の機能を付与するようにしてもよい。
【００２４】
本発明では、これらＬＥＤ１１の構成については何ら限定されるものではなく、複数のＬＥＤ１１が液晶パネル１６の背面側に配置された直下型の構成を備えていればよい。また本実施形態のＬＥＤバックライト装置は、上記のような白色ＬＥＤを使用した照明方式であってもよく、またＲＧＢの３色のＬＥＤを配設した照明方式であってもよく、特に使用するＬＥＤを限定するものではない。
またＬＥＤを点灯制御するためのＬＥＤ点灯回路，調光制御部，ＬＥＤ点灯回路等からなる図示しない各種電気回路部品は、バックライトユニットの背面にまとめて配置されるが、特にその詳細な位置関係については限定されない。
【００２５】
ＬＥＤ１１から発光した光は、拡散板１２により拡散され、さらに他の光学シート類１３で所定の作用を受けて液晶パネル１６を背面側から照明する。上記他の光学シート類１３は、例えば、プリズムシート等の光学シートが適宜用いられる。
液晶パネル１６は、入力する映像信号に応じて各画素の液晶の配向が制御され、ＬＥＤ１１から発光した照明光を変調する。これにより液晶パネル１６上に映像信号に応じた映像が表示される。
【００２６】
図２は、本発明に適用可能なバックライト装置を備えた液晶表示装置の構成例を説明するためのブロック図である。映像処理部１０２は、液晶表示装置１００に入力した映像信号、あるいは液晶表示装置１００が内蔵する記録再生装置の記録媒体から読み出された映像信号を処理し、必要に応じて各種の画質調整処理を行って液晶パネル１６の駆動に適したＲＧＢ等の画像表示信号を生成して出力する。
【００２７】
ＬＣＤ制御部１０３は、映像処理部１０２から出力されたＲＧＢの画像表示信号に従って、ソースドライバ１０４に出力する階調データ及び信号線制御信号を生成するとともに、ゲートドライバ１０５に出力する走査線制御信号を生成し、液晶パネル１６における画像表示制御を行う。
【００２８】
またＬＣＤ制御部１０３は、光源駆動部１０７へ出力するバックライト制御信号を生成し、ＬＥＤバックライト１１０の発光駆動制御を行う。
図２に示すＬＥＤバックライト１１０、水平駆動回路（Ｘライン駆動回路）１０８、垂直駆動回路（Ｙライン駆動回路）１０９、及び光源駆動部１０７を含む構成が、図１のＬＥＤバックライト装置１０に該当する。ここでは、図１に示すように、複数のＬＥＤが液晶パネル１６の背面側に配置された直下型のＬＥＤバックライトが構成されている。またＬＥＤバックライト１１０が、本発明のＬＥＤ光源部に該当する。
【００２９】
そして本実施形態では、ＬＥＤバックライト１１０を構成する複数のＬＥＤが個々に発光制御可能なように構成される。すなわちＬＥＤバックライト１１０は、複数のＬＥＤが縦横にマトリックス状に配列された構成を有している。そして水平駆動回路１０８は、水平方向（Ｘ方向）の１行分のＬＥＤを直列に接続するデータ線をＬＥＤの行数分備えている。また同様に垂直駆動回路１０９は、垂直方向（Ｙ方向）の一列分のＬＥＤを直列に接続するデータ線をＬＥＤの列数分備えている。
【００３０】
そして、光源駆動部１０７からの制御信号により、水平駆動回路１０８の点灯制御信号が印加されたデータ線と、垂直駆動回路１０９の点灯制御信号が印加されたデータ線の交点にあるＬＥＤが発光点灯される。一例として、ＬＣＤ制御部１０３で点灯すべきＬＥＤのＸＹアドレスデータを生成し、光源駆動部１０７でそのアドレスデータに従って、ＬＥＤの発光制御を行うようにすることができる。
このような構成により、光源駆動部１０７の制御信号に従って、特定のＬＥＤの発光制御が可能となる。上記光源駆動部１０７は、本発明の光源駆動部に該当する。
【００３１】
なお、直下式に配置された複数のＬＥＤを個々に発光制御するための構成は、上記に限定されることなく、ＬＥＤを個々に発光制御できる回路であれば適宜採用することができる。また複数のＬＥＤの配列は、縦横にマトリックス状に並んだ構成のみならず、例えば、縦列と横列のＬＥＤが交互にずれて並ぶいわゆる千鳥状の配列で構成されていてもよい。
【００３２】
また、複数のＬＥＤを個々に発光制御する構成の他、複数の隣接するＬＥＤをユニット化して、そのユニット化したＬＥＤごとに発光制御するようにしてもよい。この場合、発光制御するための回路構成を簡略化することができるメリットが生じる。
【００３３】
液晶表示装置１００は、液晶パネル１６に表示すべき映像信号が無信号の場合に、動きのある映像信号（補助映像信号）を生成して液晶パネル１６に表示させるようにする。
映像信号が無信号の場合は、例えば、液晶表示装置１００がスタンバイモードに入って映像表示を行わないような場合、あるいは液晶表示装置が備えるオーディオスピーカを使用して映像のないオーディオソースが視聴されるような場合が含まれる。
そしてこのときに、補助映像信号発生器１０１は、液晶パネル１６に表示する補助映像信号を発生する。補助映像信号のデータは、図示しないメモリやＨＤＤ等の記憶手段に保持させておくことができる。この補助映像信号発生器１０１は、本発明の補助映像信号発生部に該当する。
【００３４】
上記補助映像信号は、画面内で黒表示の領域が多く、かつ動きのある映像信号であることが好適である。これは例えば、上述のスクリーンセイバーのような画面をイメージすることができる。
【００３５】
映像処理部１０２では、補助映像信号発生器１０１が発生した補助映像信号を映像処理して、ＬＣＤ制御部１０３に出力する。また補助映像信号発生器１０１で発生する補助映像信号が、ＬＣＤ制御部１０３に入力可能な信号である場合には、補助映像信号を直接ＬＣＤ制御部１０３に入力してもよい。
【００３６】
ＬＣＤ制御部１０３では、補助映像信号に基づいてソースドライバ１０４及びゲートドライバ１０５に対して画像表示制御信号を出力する。これにより液晶パネル１６には、補助映像信号による表示映像が表示される。
【００３７】
そしてＬＣＤ制御部１０３は、補助映像信号に基づくバックライト制御信号を光源駆動部１０７に出力する。光源駆動部１０７では、そのバックライト制御信号に基づいて、ＬＥＤバックライト１１０のＬＥＤの発光を制御する。
この場合、補助映像信号の黒表示領域を除く領域に追従して、その領域の直下のＬＥＤのみを発光させるように制御する。
【００３８】
すなわち、補助映像信号として黒表示の領域が大きく、かつ動きのある映像を生成し、この補助映像信号を液晶パネル１６に表示させる。このときに、その黒表示領域ではＬＥＤを点灯させないようにし、黒表示領域を除く表示領域の直下のＬＥＤを点灯させるようにする。これにより、点灯するＬＥＤの数を少なくして消費電力の増大を抑制し、かつ補助映像により視聴者に好印象を与える画面表示を行うことができるようになる。
【００３９】
この場合、上述のように個々のＬＥＤの発光を制御する場合には、黒表示を除く領域直下のＬＥＤを点灯させるようにし、またＬＥＤの発光制御が、ユニット化された複数のＬＥＤごとに行われている場合には、黒表示を除く領域直下のＬＥＤを含むユニットを点灯させるようにすることができる。
【００４０】
また補助映像信号として動きのない静止画のような画像を使用してもよいが、この場合も画面内の黒表示の領域を大きくすることにより、点灯させるバックライトの数が少なくなって上記の消費電力の増大を抑制する効果を得ることができる。
【００４１】
また上記の構成において、個々のＬＥＤの発光輝度を調整（調光）することができる。ＬＥＤの発光輝度を調整するための輝度調整回路は、光源駆動部１０７，または水平駆動回路１０８もしくは垂直駆動回路１０９に含ませることができる。
輝度調整回路におけるＬＥＤの調光制御手段としては、電圧（電流）調光方式や、明るさが時分割されるデューティー調光方式などを適用することができる。
【００４２】
上記の電圧（電流）調光方式を適用する場合は、図示しない電源回路からの入力電圧または入力電流をＤＣ−ＤＣコンバータ等で変化させて、その駆動電圧（電流）の大きさで直接ＬＥＤの電流を変化させて調光することができる。
一方デューティー調光方式を適用する場合、輝度調整回路では、ＬＥＤを駆動するための調光パルス（ＰＷＭ信号）を生成し、そのＰＷＭ比設定データに応じたデューティー比となるようにパルス幅を可変することで、ＬＥＤの明るさを調光することができる。
【００４３】
この場合に、通常の映像信号を表示するときのＬＥＤの発光輝度と、上記補助映像信号を表示するときのＬＥＤの発光輝度とを異ならせるようにしてもよい。例えば、補助映像信号を液晶パネルに１６に表示させるときには、通常の映像信号を表示するときよりもＬＥＤの発光輝度を低下させ、より消費電力を抑えるように設定してもよい。この場合ＬＣＤ制御部１０３から出力されるバックライト制御信号に、調光制御を指示する信号が含まれるようにし、光源駆動部１０７による制御信号に従って各輝度調整回路でＬＥＤの発光輝度を調光する。
【００４４】
図３は、本発明の画像表示装置として構成された液晶テレビジョン装置の構成例を示すブロック図である。液晶テレビジョン装置２００において、チューナ１１２は、アンテナ１１１によって受信されたテレビジョン放送信号からチャンネルを選局する。またビデオ入力端子１１３は、液晶テレビジョン装置２００に内蔵もしくは外部接続されたＡＶ機器からのビデオ信号を入力する。そして切換部１１４において、チューナ１１２で選局されたテレビジョン放送信号とビデオ入力端子１１３を介して入力したビデオ信号とを切換出力する。
【００４５】
切換部１１４から出力された映像信号は映像処理部１０２で映像処理され、ＬＣＤ制御部１０３に出力される。映像処理部１０２は、入力したビデオ信号から映像信号の生成処理や各種の画質調整処理等を行う。映像処理部１０２は、コンポジット信号のＹＣ分離処理、ＹＣ信号からＲＧＢ信号を生成するＲＧＢ信号デコード処理、ＡＤ変換処理、色空間変換処理、ＩＰ変換処理、スケーリング処理、ＦＲＣ処理、色補正処理、同期検出処理、γ補整処理、ＯＳＤ表示処理等の映像信号処理を適宜実行する。
【００４６】
補助映像信号発生器１０１は、無映像信号状態のときに所定の補助映像信号を発生し、映像処理部１０２（もしくはＬＣＤ制御部１０３）に出力する。
ＬＣＤ制御部１０３は、映像処理部１０２から出力された画像表示信号に従って液晶パネル（ＬＣＤ）１６のソースドライバに出力する階調データ及び信号線制御信号を生成するとともに、ゲートドライバに出力する走査線制御信号を生成し、液晶パネル１６における画像表示制御を行う。またＬＣＤ制御部１０３は、光源駆動部１０７へ出力するバックライト制御信号を生成し、ＬＥＤバックライト１１０の発光駆動制御を行う。これら液晶パネル１６の駆動制御と、ＬＥＤバックライト１１０の発光輝度制御は、上記図２を参照して説明した方式を適用することができる。
【００４７】
光源駆動部１０７は、ＬＥＤバックライト１１０の点灯駆動制御を実行する。ここでは、上述のように、補助映像信号の黒表示領域を除く領域に追従して、その領域の直下のＬＥＤ、もしくはユニット化されたＬＥＤのみを発光させるように制御する。
【００４８】
また液晶テレビジョン装置２００において、切換部１１４から出力された音声信号は、音声処理部１１５で処理されてスピーカ１１６から音声出力される。
またリモコン受光部１１７は、リモコン装置１２０から送信された赤外線によるリモコン操作信号を受光し、制御部１１８へ送る。制御部１１８は、リモコン受光部１１７で受光したリモコン操作信号を検出・解析し、チューナ１１２、切換部１１４、映像処理部１０２、ＬＣＤ制御部１０３、音声処理部１１５等に対してそれらの動作を制御する制御信号を出力する。また制御部１１８は、リモコン操作や他の操作部に対する操作に従う無映像信号状態への切り換え、もしくはスタンバイモードへの自動切り換え等に応じて、補助映像信号発生器１０１を制御し、所定の補助映像信号を発生させる。
ここではメモリ４４に記憶されたプログラムやデータが使用される。また液晶テレビジョン装置２００に対するユーザによる操作入力は、上記リモコン装置１２０だけでなく、液晶テレビジョン装置２００の本体操作部に設けられた操作キーやスイッチを用いて実行することができる。
【００４９】
なお、本発明に関わる画像表示装置は、上記の液晶テレビジョン装置に限定されることはなく、液晶パネルを背面から照明して、表示画像を生成する構成を有する種々の画像表示装置に適用することができる。
【図面の簡単な説明】
【００５０】
【図１】本発明に適用可能な直下型のＬＥＤバックライト装置の構成例を説明するための図である。
【図２】本発明に適用可能なバックライト装置を備えた液晶表示装置の構成例を説明するためのブロック図である。
【図３】本発明の画像表示装置として構成された液晶テレビジョン装置の構成例を示すブロック図である。
【符号の説明】
【００５１】
１０…ＬＥＤバックライト装置、１１…ＬＥＤ、１２…拡散板、１３…光学シート類、１４…反射板、１５…筐体、１６…液晶パネル、４４…メモリ、１００…液晶表示装置、１０１…補助映像信号発生器、１０２…映像処理部、１０３…ＬＣＤ制御部、１０４…ソースドライバ、１０５…ゲートドライバ、１０７…光源駆動部、１０８…水平駆動回路、１０９…垂直駆動回路、１１０…ＬＥＤバックライト、１１１…アンテナ、１１２…チューナ、１１３…ビデオ入力端子、１１４…切換部、１１５…音声処理部、１１６…スピーカ、１１７…リモコン受光部、１１８…制御部、１２０…リモコン装置、２００…液晶テレビジョン装置。
【図１】
2007086390.tif 000003
【図２】
2007086390.tif 000004
【図３】
2007086390.tif 000005